(57)【特許請求の範囲】
【請求項１】
所定の長さ方向に沿って延伸して長尺状に形成されたレールベースと、前記所定の長さ方向に沿って延伸すると共に、前記レールベースの一面から突起する一対のレール壁と、を有し、該一対のレール壁の互いに向かい合う内側面からそれぞれ突起すると共に、前記所定の長さ方向に沿って延伸する一対のレールフックが形成されることにより、前記レールベースと前記一対のレール壁と前記一対のレールフックとで所定の係合空間を囲むように構成されているレール手段と、
摺動本体及び前記摺動本体を収容するハウジングを有する摺動部と、照明手段を有すると共に前記摺動部に取付けられている照明部とを具えている可動投光手段とからなり、
前記可動投光手段の前記摺動部が有する前記ハウジングは、可撓性を有する材料で作成されたものであって、前記レール手段が囲む前記係合空間内に延伸する一対の係合壁と、前記一対の係合壁からそれぞれ外側へ突起して前記一対のレール壁にそれぞれ形成されている前記一対のレールフックと係合する一対の摺動フックとを有するように形成されている上、前記一対のレール壁が延伸する前記所定の長さ方向を摺動方向として摺動できるように前記レール手段に取付けられてけられており、
また、前記レール手段の前記レールベースに、前記所定の長さ方向に沿って延伸する固定端子が固定されているレール回路基板が取付けられており、
前記摺動部は、前記摺動本体が前記レール手段に取付けられると、前記固定端子と電気的に接続することができる可動端子が固定されている摺動基板を更に有し、そして該摺動基板は前記摺動本体に固定されており、
前記ハウジングは、前記摺動本体の前記レール手段から離れた側において前記摺動本体に面するように配置されている底板を有すると共に、前記一対の係合壁が前記底板の周縁から前記レール手段の前記係合空間まで延伸するように形成されており、
更に、前記照明部は、前記底板と略直交する所定の回動軸線に沿って延伸して前記底板を貫通し、且つ前記回動軸線を軸心として回動できるように前記摺動部に取付けられている回動部を介して前記摺動部に取付けられていると共に、前記回動部の前記レール手段から離れた先端部を横断する揺動軸線を揺動軸として揺動できるように前記回動部に取付けられている、ことを特徴とする照明装置。
【請求項２】
前記ハウジングの前記底板に、前記回動部により貫通される貫通孔と、前記貫通孔の周縁から少なくとも前記レール手段から離れた側へ延伸する環状壁と、前記環状壁の前記レール手段から離れた側に面する第１の端面から更に突起する第１の係止リブとが形成されており、
前記回動部に、前記環状壁の前記第１の端面に当接し、且つ前記第１の係止リブに対応して前記第１の係止リブに当接することができる第２の係止リブが前記回動部の外周面から突起するように形成されている、ことを特徴とする請求項１に記載の照明装置。
【請求項３】
前記ハウジングの前記底板に形成されている前記環状壁は、前記貫通孔の周縁から前記レール手段側へも延伸し、且つ前記レール手段側に面する第２の端面を有しており、
前記回動部の前記摺動本体に向かう挿入端部は、前記第２の端面から前記摺動本体に接近するまで前記貫通孔を挿通し、且つ該挿入端部に前記第２の端面に当接して前記回動部の前記環状壁に対する摺動を制限する制限リングが取付けられている、ことを特徴とする請求項２に記載の照明装置。
【請求項４】
前記回動部の外周面と、前記環状壁の前記回動部に臨む内周面との間に、ゴムリングが介在している、ことを特徴とする請求項３に記載の照明装置。
【請求項５】
前記照明部は、前記揺動軸線を揺動軸として揺動できるように前記回動部に取付けられていると共に、外部と連通する開口を有する内側空間を画成するように略皿状に形成されているカバーと、
前記照明手段として前記内側空間内に収容されて前記開口に向かって発光するように前記カバー内に取付けられているＬＥＤモジュールと、
前記ＬＥＤモジュールから発する光を案内するように前記内側空間に収容されている導光体と、を有するように構成されている、ことを特徴とする請求項１〜請求項４のいずれか一項に記載の照明装置。
【請求項６】
前記導光体は、前記ＬＥＤモジュールから発する光を放射角が１５°〜６０°の範囲内になるように案内するように構成されている、ことを特徴とする請求項５に記載の照明装置。
【請求項７】
前記照明部は、一面に前記ＬＥＤモジュールが取り付けられているＬＥＤ基板を有しており、
前記ＬＥＤ基板の前記ＬＥＤモジュールが取付けられている前記一面の反対側にある背面に、複数の放熱フィンを有する放熱シンクが固定されている、ことを特徴とする請求項５または請求項６に記載の照明装置。
【発明の詳細な説明】
【技術分野】
【０００１】
本発明は照明装置に関し、特に、レール手段に沿って摺動することができる可動投光手段を備えた照明装置に関する。
【背景技術】
【０００２】
ショーケース内に収容される商品をより美しく魅力的に展示するには、該商品に当るライトが重要な役割を演じている。また、商品に当るライトの最適な角度も、商品ごとに異なるので、ショーケースに取り付けられてライトを投光する光源も、位置や投光角度を調整できるものが好ましい。
【０００３】
図１は上記需要に対し、本発明の発明者が特許文献１において提案した照明装置の構成が示されている断面図である。
【０００４】
図示されているように、該照明装置は、所定の長さ方向に沿って延伸して長尺状に形成されたレール手段１０と、前記所定の長さ方向を摺動できるようにレール手段１０に取付けられていて投光目標を調整することができる可動投光手段２０とを具えている照明装置であって、レール手段１０が有する一対のレールバー１０１それぞれには外側へ張り出すレールプレート１０２が形成されており、一方、可動投光手段２０はハウジング２０１と、ハウジング２０１に回動可能に取付けられている回動柱２０２と、回動柱２０２のハウジング２０１から離れた先端に揺動可能に取付けられている照明部２０３とを有し、ハウジング２０１には一対のレールバー１０１それぞれのレールプレート１０２に外側から係合するフック２０１１が形成されている。
【０００５】
この構成によって、可動投光手段２０をレール手段１０に取付ける際、可動投光手段２０が有するハウジング２０１が少し外側へ湾曲するように変形してから一対のレールバー１０１それぞれのレールプレート１０２に係合することができるが、図１に示されているように、例えば天井１００の隅で壁２００に臨む箇所に配置しなければならない場合、ハウジング２０１の湾曲が壁２００の存在によって妨げられて取付けることが困難になることもある。
【先行技術文献】
【特許文献】
【０００６】
【特許文献１】実用新案登録第３１８９６９１号明細書
【発明の概要】
【発明が解決しようとする課題】
【０００７】
上記問題点に鑑みて、本発明は可動投光手段をレール手段に取付ける操作が周囲の環境に制限されることが少なくてより便利に取付けることができる照明装置の提供を目的とする。
【課題を解決するための手段】
【０００８】
上記目的を達成すべく、本発明は、所定の長さ方向に沿って延伸して長尺状に形成されたレールベースと、前記所定の長さ方向に沿って延伸すると共に、前記レールベースの一面から突起する一対のレール壁と、を有し、該一対のレール壁の互いに向かい合う内側面からそれぞれ突起すると共に、前記所定の長さ方向に沿って延伸する一対のレールフックが形成されることにより、前記レールベースと前記一対のレール壁と前記一対のレールフックとで所定の係合空間を囲むように構成されているレール手段と、摺動本体及び前記摺動本体を収容するハウジングを有する摺動部と、照明手段を有すると共に前記摺動部に取付けられている照明部とを具えている可動投光手段とからなり、前記可動投光手段の前記摺動部が有する前記ハウジングは、可撓性を有する材料で作成されたものであって、前記レール手段が囲む前記係合空間内に延伸する一対の係合壁と、前記一対の係合壁からそれぞれ外側へ突起して前記一対のレール壁にそれぞれ形成されている前記一対のレールフックと係合する一対の摺動フックとを有するように形成されている上、前記一対のレール壁が延伸する前記所定の長さ方向を摺動方向として摺動できるように前記レール手段に取付けられていることを特徴とする照明装置を提供する。
【０００９】
上記照明装置において、前記レール手段の前記レールベースに、前記所定の長さ方向に沿って延伸する固定端子が固定されているレール回路基板が取付けられており、前記摺動部は、前記摺動本体が前記レール手段に取付けられると、前記固定端子と電気的に接続することができる可動端子が固定されている摺動基板を更に有し、そして該摺動基板は前記摺動本体に固定されていることが好ましい。
【００１０】
上記照明装置において、前記ハウジングは、前記摺動本体の前記レール手段から離れた側において前記摺動本体に面するように配置されている底板を有すると共に、前記一対の係合壁が前記底板の周縁から前記レール手段の前記係合空間まで延伸するように形成されており、更に、前記照明部は、前記底板と略直交する所定の回動軸線に沿って延伸して前記底板を貫通し、且つ前記回動軸線を軸心として回動できるように前記摺動部に取付けられている回動部を介して前記摺動部に取付けられていると共に、前記回動部の前記レール手段から離れた先端部を横断する揺動軸線を揺動軸として揺動できるように前記回動部に取付けられるように構成されることが好ましい。
【００１１】
上記照明装置において、前記ハウジングの前記底板に、前記回動部により貫通される貫通孔と、前記貫通孔の周縁から少なくとも前記レール手段から離れた側へ延伸する環状壁と、前記環状壁の前記レール手段から離れた側に面する第１の端面から更に突起する第１の係止リブとが形成されており、前記回動部に、前記環状壁の前記第１の端面に当接し、且つ前記第１の係止リブに対応して前記第１の係止リブに当接することができる第２の係止リブが前記回動部の外周面から突起するように形成されていることが好ましい。
【００１２】
上記照明装置において、前記ハウジングの前記底板に形成されている前記環状壁は、前記貫通孔の周縁から前記レール手段側へも延伸し、且つ前記レール手段側に面する第２の端面を有しており、前記回動部の前記摺動本体に向かう挿入端部は、前記第２の端面から前記摺動本体に接近するまで前記貫通孔を挿通し、且つ該挿入端部に前記第２の端面に当接して前記回動部の前記環状壁に対する摺動を制限する制限リングが取付けられていることが好ましい。
【００１３】
上記照明装置において、前記回動部の外周面と、前記環状壁の前記回動部に臨む内周面との間に、ゴムリングが介在していることが好ましい。
【００１４】
上記照明装置において、前記照明部は前記揺動軸線を揺動軸として揺動できるように前記回動部に取付けられていると共に、外部と連通する開口を有する内側空間を画成するように略皿状に形成されているカバーと、前記照明手段として前記内側空間内に収容されて前記開口に向かって発光するように前記カバー内に取付けられているＬＥＤモジュールと、前記ＬＥＤモジュールから発する光を案内するように前記内側空間に収容されている導光体と、を有するように構成されていることが好ましい。
【００１５】
上記照明装置において、前記導光体は、前記ＬＥＤモジュールから発する光を放射角が１５°〜６０°の範囲内になるように案内するように構成されていることが好ましい。
【００１６】
上記照明装置において、前記照明部は、一面に前記ＬＥＤモジュールが取り付けられているＬＥＤ基板を有しており、前記ＬＥＤ基板の前記ＬＥＤモジュールが取付けられている前記一面の反対側にある背面に、複数の放熱フィンを有する放熱シンクが固定されていることが好ましい。
【発明の効果】
【００１７】
上記構成による本発明の照明装置は、レール手段が有する一対のレール壁に該一対のレール壁の互いに向かい合う内側面からそれぞれ突起する一対のレールフックが形成され、可動投光手段の摺動部が有するハウジングの一対の係合壁に外側へ突起して前記一対のレールフックと係合する一対の摺動フックが形成されているので、可動投光手段をレール手段に取付ける際、可動投光手段が有するハウジングの一対の係合壁は少し内側へ湾曲するように変形してから一対の摺動フックでレール手段側に形成されるレールフックと係合することができるので、たとえ天井隅で壁に臨む箇所に配置されても、ハウジングの係合壁の湾曲が壁の存在によって妨げられることなく、簡単且つ素早く取付けることができる。
【図面の簡単な説明】
【００１８】
【図１】レール手段と、レール手段に沿って摺動する可動投光手段とを有する従来の照明装置の構成が示されている断面図である。
【図２】本発明の照明装置の好ましい実施形態の外部構成が示されている斜視図である。
【図３】本発明の照明装置の好ましい実施形態の構成が示されている分解図である。
【図４】本発明の照明装置の好ましい実施形態の構成が示されている断面図である。
【図５】本発明の照明装置の好ましい実施形態の回動構成が示されている説明図である。
【図６】本発明の照明装置の好ましい実施形態の回動構成が示されている説明図である。
【図７】本発明の照明装置の好ましい実施形態の係合構成が示されている断面図である。
【発明を実施するための形態】
【００１９】
以下では各図面を参照しながら、本発明の照明装置の好ましい実施形態について詳しく説明する。
【００２０】
図２は本発明の照明装置の好ましい実施形態の外部構成が示されている斜視図である。図２に示されているように、本発明の照明装置は、所定の長さ方向Ｌ１に沿って長尺状に形成されたレール手段２と、レール手段２の長さ方向Ｌ１を摺動方向として該摺動方向に沿って移動できるようにレール手段２に取付けられて該移動によって投光目標を調整することができる可動投光手段３とを備えており、可動投光手段３は、前記摺動方向（長さ方向Ｌ１）に沿って移動できるようにレール手段２に取付けられている摺動部３１と、摺動部３１から延伸する回動軸線Ｌ２に沿って延伸し、回動軸線Ｌ２を軸心として回動できるように摺動部３１に取付けられている回動部３３と、照明手段を有すると共に回動部３３のレール手段２から離れた先端部を横断する揺動軸線Ｌ３を揺動軸として揺動できるように回動部３３に取付けられている照明部３４と、を有するように構成されている。
【００２１】
図３は本発明の照明装置の好ましい実施形態の構成が示されている分解図であり、図４は本発明の照明装置の好ましい実施形態の構成が示されている断面図である。
【００２２】
図３及び図４に示されているように、本発明の照明装置の第１の実施形態が有するレール手段２は、前記長さ方向Ｌ１に沿って延伸するレールベース２１と、前記長さ方向Ｌ１に沿って延伸しながらレールベース２１の一面からする突起する一対のレール壁２２と、を有する上、該一対のレール壁２１の互いに向かい合う内側面からそれぞれ突起すると共に、前記所定の長さ方向Ｌ１に沿って延伸する一対のレールフック２２１が形成されることにより、レールベース２１と一対のレール壁２２と一対のレールフック２２１とで所定の係合空間２３を囲むように構成されている。また、レール手段２は、一対のレール壁２２の間に取付けられ、前記長さ方向Ｌ１に沿って延伸する一対の固定端子２４１が固定されているレール回路基板２４を更に有している。
【００２３】
ちなみに、レール手段２は、例えばアルミ押出成形により作製されたアルミ押出形材を使用することができる。
【００２４】
可動投光手段３の摺動部３１は、レール回路基板２４の固定端子２４１と電気的に接続することができる可動端子３１２を有する摺動基板３１１が固定されている摺動本体３１０と、摺動本体３１０を収容するハウジング３２０とを有するように構成されている。
【００２５】
ハウジング３２０はプラスチックなど可撓性を有する材料で作成されたものであり、摺動本体３１０のレール手段２から離れた側において摺動本体３１０に面するように配置されている底板３２１と、底板３２１の周縁からレール手段２が囲む前記係合空間２４内まで延伸する一対の係合壁３２２と、レール手段２の一対のレール壁２２にそれぞれ形成されている一対のレールフック２２１と係合することができるように、一対の係合壁３２２からそれぞれ外側へ突起する一対の摺動フック３２３とを有するように形成されている上、レール手段２の一対のレール壁２２が延伸する前記所定の長さ方向Ｌ１を摺動方向として摺動できるようにレール手段２に取付けられている。
【００２６】
また、ハウジング３２０の底板３２１に、摺動部３１から延伸して底板３２１と略直交する回動軸線Ｌ２に対応して該回動軸線Ｌ２により貫通されるようにあけられている貫通孔３２６と、貫通孔３２６の周縁からレール手段２から離れた側、及び前記レール手段２側の両側へとそれぞれ延伸し、レール手段２から離れた側に面する第１の端面３２４Ａ及びレール手段２側に面する第２の端面３２４Ｂを有するように形成された環状壁３２４と、環状壁３２４のレール手段２から離れた側に面する第１の端面３２４Ａから更に突起する第１の係止リブ３２５とが形成されている。
【００２７】
回動部３３は回動軸線Ｌ２に対応して該回動軸線Ｌ２を回動軸として回動でき、且つレール手段２から離れて環状壁３２４の第１の端面３２４Ａから露出する先端部３３１と、摺動本体３１０に向いながら第２の端面３２４Ｂから露出する挿入端部３３２とを有するように、貫通孔３２６に挿し込まれている管状体であり、更に、回動部３３に、環状壁３２４の第１の端面３２４Ａに当接し、且つ第１の係止リブ３２５に対応して第１の係止リブ３２５に当接することができる第２の係止リブ３３３が回動部３３の第１の端面３２４Ａから露出する先端部３３１の外表面から突起するように形成されている。
【００２８】
また、回動部３３の摺動本体３１０に向かう挿入端部３３２は、第２の端面３２４Ａから摺動本体３１０に接近するまで貫通孔３２６を挿通し、且つ該挿入端部３３２に第２の端面３２４Ａに当接して回動部３３の環状壁３２４に対する摺動を制限する制限リング３３４が取付けられている。
【００２９】
更にまた、回動部３３の外周面と、環状壁３２４の回動部３３に臨む内周面との間に、ゴムリング３３５が介在している。
【００３０】
可動投光手段３の照明部３４は、一端が回動部３３の第１の端面３２４Ａから露出する先端部３３１を貫通する揺動軸線Ｌ３を揺動軸として揺動できるように先端部３３１に取付けられるように構成されていると共に、前記一端の反対側にある他端に外部と連通する開口を有する内側空間を画成するように略皿状に形成されているカバー３４１と、前記照明手段として該内側空間内に収容されて前記開口に向かって発光するようにカバー３４１内に取付けられているＬＥＤモジュール３４４と、ＬＥＤモジュール３４４から発する光を案内するように該内側空間内に収容されている導光体３４５と、を有するように構成されている。ちなみに、ＬＥＤモジュール３４４は配線（図示せず）により摺動部３１の摺動本体３１０に取付けられている摺動基板３１１と電気的に接続されている。
【００３１】
照明部３４のカバー３４１は、一端が枢支端３４８として回動部３３の環状壁３２４の第１の端面３２４Ａから露出する先端部３３１に枢支されていると共に、枢支端３４８の反対側にある他端が照明端として開口し、上記内側空間を画成する収容凹部３４９が形成されている。また、照明部３４は、収容凹部３４９により画成される上記内側空間内に配置されていると共に、一面にＬＥＤモジュール３４４が取付けられているＬＥＤ基板３４２と、ＬＥＤ基板３４２のカバー３４１の開口に向かう一面側から、カバー３４１の開口の内周縁まで延伸する略中空せっ頭錐状に形成された反射ユニット３４６と、カバー３４１の前記開口に取付けられている環状キャップ３４７とを更に有しており、導光体３４５は、反射ユニット３４６により囲まれていると共に、環状キャップ３４７により上記内側空間内に固定されている。更にまた、この実施形態に使用される導光体３４５は、ＬＥＤモジュール３４４から発する光を放射角θが１５°〜６０°の範囲内になるように案内できるように構成されている。そして、照明部３４のＬＥＤ基板３４２のＬＥＤモジュール３４４が取付けられている一面の反対側にある背面には、複数の放熱フィンを有する放熱シンク３４３が固定されている。
【００３２】
図５は本発明の照明装置の好ましい実施形態の回動構成が示されている説明図であり、図６は本発明の照明装置の好ましい実施形態の回動構成が示されている説明図である。
【００３３】
図５及び図６に示されているように、ハウジング３２０の環状壁３２４のレール手段２から離れた側に面する第１の端面３２４Ａから第１の係止リブ３２５が突起するように形成されており、そして回動部３３の第１の端面３２４Ａから露出する先端部３３１の外表面から第２の係止リブ３３３が突起するように形成されているので、第２の係止リブ３３３が第１の係止リブ３２５に当接して係止することによって、回動部３３がハウジング３２０に対する回動を制限することができる。そしてこの実施形態においては、ハウジング３２０側に形成されている第１の係止リブ３２５の第２の係止リブ３３３に当接することができる両端面が互いに略６０°の角度を成すように形成されているので、回動部３３のハウジング３２０に対して回動できる角度範囲を０°〜３００°の範囲内に制限することができる。
【００３４】
図７は本発明の照明装置の好ましい実施形態の係合構成が示されている断面図である。
【００３５】
図示のように、本発明の照明装置は、レール手段２が有する一対のレール壁２２に該一対のレール壁２２の互いに向かい合う内側面からそれぞれ突起する一対のレールフック２２１が形成され、可動投光手段３の摺動部３１が有するハウジング３２０の一対の係合壁３２２に外側へ突起してレール手段２の一対のレールフック２２１と係合することができる一対の摺動フック３２３が形成されているので、可動投光手段３をレール手段２に取付ける際、可動投光手段３が有するハウジング３２０の一対の係合壁３２２は少し内側へ（図中の矢印が示す方向へ）湾曲するように変形してから一対の摺動フック３２３でレール手段２側に形成されるレールフック２２１と係合することができるので、たとえ図示されているように天井１００の隅でレール手段２のレールベース２１が壁２００に当接する箇所に配置される場合においても、ハウジング３２０の係合壁３２２の湾曲が壁２００の存在によって妨げられることなく、簡単且つ素早く取付けることができる。
【産業上の利用可能性】
【００３６】
上記構成による本発明の照明装置が有するレール手段２と可動投光手段３は、レール手段２が有する一対のレール壁２２に該一対のレール壁２２の互いに向かい合う内側面からそれぞれ突起する一対のレールフック２２１が形成され、そして可動投光手段３の摺動部３１が有するハウジング３２０の一対の係合壁３２２に外側へ突起してレール手段２の一対のレールフック２２１と係合することができる一対の摺動フック３２３が形成されているので、可動投光手段３をレール手段２に取付ける操作において湾曲変形するハウジング３２０の一対の係合壁３２２は周囲の環境に邪魔されることが殆どなく、従来より便利に取付けることができる照明装置を提供することができる。
【符号の説明】
【００３７】
２    レール手段
２２    レール壁
２２１    レールフック
２３    係合空間
２４    レール回路基板
２４１    固定端子
３    可動投光手段
３１    摺動部
３１０    摺動本体
３１１    摺動基板
３１２    可動端子
３２０    ハウジング
３２１    底板
３２２    係合壁
３２３    摺動フック
３２４    環状壁
３２４Ａ    第１の端面
３２４Ｂ    第２の端面
３２５    第１の係止リブ
３２６    貫通孔
３３    回動部
３３１    先端部
３３２    挿入端部
３３３    第２の係止リブ
３３４    制限リング
３３５    ゴムリング
３４    照明部
３４１    カバー
３４２    ＬＥＤ基板
３４３    放熱シンク
３４４    ＬＥＤモジュール
３４５    導光体
３４６    反射ユニット
３４７    環状キャップ
３４８    枢支端
３４９    収容凹部
Ｌ１    長さ方向
Ｌ２    回動軸線
Ｌ３    揺動軸線
【図１】
0005856242.tif 000002
【図２】
0005856242.tif 000003
【図３】
0005856242.tif 000004
【図４】
0005856242.tif 000005
【図５】
0005856242.tif 000006
【図６】
0005856242.tif 000007
【図７】
0005856242.tif 000008